(57)【要約】【課題】レンジフードの能動型消音装置を保護する通音性のある材料に油分が堆積して通音性が低下しても、通音性を回復させ、消音効果の劣化を抑制するためのメンテナンス作業が困難であるという課題がある。【解決手段】通風路５の壁面７の開口８の外側の空間９に配置された能動消音装置１０と、開口８に複数の細孔１４を備える多孔板１５を備え、複数の細孔１４に対向する複数の突起１６を備える多突起板１７を備え、多孔板１５が、多孔板１５と多突起板１７の複数の突起１６の先端が離間する位置と、多孔板１５の複数の細孔１４に多突起板１７の複数の突起１６が挿入される位置に可動である構成にすることにより、簡素なメンテナンス作業で能動型消音装置の消音効果の劣化を抑制できるレンジフードを提供できる。【選択図】図１
2014043990.tif 000002
【特許請求の範囲】
【請求項１】
加熱調理器の上方に設置され、
屋外に連通した吐出口と、調理時に発生する油煙を含んだ空気を吸い込む吸込口と、前記吐出口と前記吸込口を連通する通風路とを有するフードを備え、
このフード内に空気を屋外に排気する送風機と、前記通風路内を伝播する騒音を消音する能動消音装置を備えたレンジフードであって、
前記能動消音装置は、
前記通風路の壁面に設けた開口の外側の空間に配置された音波を検知するマイクロホンと、
音波を放出するスピーカを備え、
前記開口に複数の細孔を備える第一の保護体と、
前記第一の保護体の外側に複数の前記細孔に対向する複数の突起を備える第二の保護体を設け、
前記第一の保護体は、
前記第一の保護体と前記第二の保護体の複数の前記突起の先端が離間する位置と、前記第一の保護体の複数の前記細孔に前記第二の保護体の複数の前記突起が挿入される位置との間を可動することを特徴とするレンジフード。
【請求項２】
前記第一の保護体が、
弾性力により前記第一の保護体と前記第二の保護体の複数の前記突起の先端が離間する位置を保持するように支持されたことを特徴とする請求項１に記載のレンジフード。
【請求項３】
前記第一の保護体の複数の前記細孔が上下方向のスリット形状であることを特徴とする請求項１または２に記載のレンジフード。
【発明の詳細な説明】
【技術分野】
【０００１】
本発明は、レンジフードの通風路に付設してレンジフード運転時に発生する騒音を消音するための能動型消音装置を備えたレンジフードに関するものである。
【背景技術】
【０００２】
台所に設置されるレンジフードは運転時に発生する騒音を低下することが求められている。このような課題を解決する手段の一つとして、レンジフード内に能動型消音装置を搭載するという方法が挙げられる。
【０００３】
従来、この種のレンジフードとして、フード部内に通風路から隔たれた空間を別途設け、その内部に能動型消音装置を構成するマイクロホンやスピーカを配置した構造のものが知られている（例えば特許文献１参照）。
【０００４】
以下、そのレンジフードについて図７を参照しながら説明する。
【０００５】
図７に示すレンジフード１０１は、フードケース１０２内に排気ファン１０３と、下方から吸引する油煙を排気ファン１０３に導く通風路１０４とを備える。排気ファン１０３の排気口１０５に連結された排気ダクト１０６が室外に引き出され、吸引された調理時の煙等は外部に排気されるようになっている。またレンジフード１０１には通風路１０４の外側にスピーカ１０７と、マイクロホン１０８（図示せず）と、コントローラ１０９を有している。コントローラ１０９は、排気ファン１０３の運転時に騒音がマイクロホン１０８で検知された場合、この検知信号と逆位相の音をスピーカ１０７から発し、消音するように設定されている。これにより、排気ファン１０３の作動時にレンジフード１０１から室内に放出される騒音を低減する。
【０００６】
また、従来、通風路用の能動型消音装置として、スピーカやマイクロホンと通風路の間に通音性がある板材を設置するものが知られている（例えば特許文献２参照）。
【０００７】
以下、その能動型消音装置について図８を参照しながら説明する。
【０００８】
図８に示すように、ダクト２０１の上面にスピーカボックス２０２が板材２０３を介して載置され螺子２０４止めされている。スピーカボックス２０２は、内側にスピーカ２０５を備え、外側にマイクロホン２０６を保持している。スピーカ２０５とマイクロホン２０６は板材２０３を介してダクト２０１と連通している。板材は通音性、断熱性、気密性に優れた材料、例えばこれら３つの性質を備えた連続気泡の軟質ウレタンフォーム、或いは、通音性、気密性効果のあるフィルムと通音性、断熱性効果のあるグラスウール又はフェルトを重ね合わせた材料から成る。スピーカ２０５とマイクロホン２０６は信号処理制御部（図示せず）と電気的に接続されている。
【０００９】
ダクトの上流（図８の左側）からの騒音が伝播する際、板材２０３を介してマイクロホン２０６にて検出され、電気信号に変換され信号処理制御部にて所定の信号処理をされてスピーカ２０５に供給され、消音音波に変換される。この消音音波は板材２０３を介してダクト２０１内に放出され、騒音と干渉し、消音するように作用する。スピーカ２０５やマイクロホン２０６が通風路であるダクト２０１に面して設置されているため、通風路であるダクト２０１を伝播する騒音に対して高い消音効果を期待でき、また板材２０３を介しているため、ダクト２０１内部の熱や塵埃や湿気などからマイクロホン２０６やスピーカ２０５を保護でき、消音効果の劣化を抑制することが期待できる。
【先行技術文献】
【特許文献】
【００１０】
【特許文献１】特開２００５−３３７５８４号公報
【特許文献２】特開平７−７２８７３号公報
【発明の概要】
【発明が解決しようとする課題】
【００１１】
しかし上記特許文献１に記載のレンジフードでは、レンジフード１０１から室内に放出される騒音は、排気ファン１０３から発生して通風路１０４を伝播して下方から放出されるものが主であるので、上記の特許文献１の構成では、通風路１０４にマイクロホン１０８やスピーカ１０７を設置していないため、十分な消音効果を得ることが困難であるという課題がある。
【００１２】
また、上記特許文献２に記載の能動型消音装置では、レンジフードのように油煙を含んだ気流がダクト２０１を通風する場合、高い粘性のある油分が、板材２０３の通音性の確保に必要な板材２０３の微細な隙間（たとえば軟質ウレタンフォームの連続発泡部やグラスウールの繊維の間）に入り込むため、長期使用時に板材２０３の通音性が損なわれ、消音効果が低下するという課題がある。また板材２０３の微細な隙間に入り込んだ油分は、板材２０３をダクト２０１に取り付けた状態での拭き取りなどの簡素なメンテナンス作業では除去できず、あるいは板材２０３を取り外して拭き取りをしても油分を更に板材２０３に押し込んでしまうため、通音性を回復することは困難であり、能動型消音装置の消音効果の劣化を抑制するためには、板材２０３を取り外して洗浄する、あるいは板材２０３を交換するなど、複雑なメンテナンス作業を必要とするという課題がある。
【００１３】
そこで本発明は、上記課題を解決するものであり、通風路に対して高い消音効果がある能動型消音装置を備え、簡素なメンテナンス作業で能動型消音装置の消音効果の劣化を抑制できるレンジフードを提供することを目的とする。
【課題を解決するための手段】
【００１４】
そして、本発明は上記目的を達成するために、加熱調理器の上方に設置され、屋外に連通した吐出口と、調理時に発生する油煙を含んだ空気を吸い込む吸込口と、吐出口と吸込口を連通する通風路とを有するフードを備え、このフード内に空気を屋外に排気する送風機と、通風路内を伝播する騒音を消音する能動消音装置を備えたレンジフードであって、能動消音装置は、通風路の壁面に設けた開口の外側の空間に配置された音波を検知するマイクロホンと、音波を放出するスピーカを備え、開口に複数の細孔を備える第一の保護体と、第一の保護体の外側に複数の細孔に対向する複数の突起を備える第二の保護体を設け、第一の保護体は、第一の保護体と第二の保護体の複数の突起の先端が離間する位置と、第一の保護体の複数の細孔に第二の保護体の複数の突起が挿入される位置との間を可動するものであり、これによって所期の目的を達成するものである。
【発明の効果】
【００１５】
本発明によれば、通風路に対して高い消音効果がある能動型消音装置を備え、簡素なメンテナンス作業で能動型消音装置の消音効果の劣化を抑制できるレンジフードを提供することができる。
【図面の簡単な説明】
【００１６】
【図１】本発明の実施の形態１のレンジフードの側断面図
【図２】同レンジフードの図１Ａ部分の拡大断面図（離間位置）
【図３】同レンジフードの図１Ａ部分の拡大断面図（挿入位置）
【図４】（ａ）同レンジフードの多孔板の正面図、（ｂ）同レンジフードの多突起板の正面図
【図５】（ａ）同レンジフードの多孔板と多突起板の部分拡大図（離間位置）、（ｂ）同レンジフードの多孔板と多突起板の部分拡大図（挿入位置）
【図６】本発明の実施の形態２の多孔板の正面図
【図７】従来のレンジフードを示す側断面図
【図８】従来の能動型消音装置を示す側断面図
【発明を実施するための形態】
【００１７】
本発明の請求項１記載のレンジフードは、加熱調理器の上方に設置され、屋外に連通した吐出口と、調理時に発生する油煙を含んだ空気を吸い込む吸込口と、吐出口と吸込口を連通する通風路とを有するフードを備え、このフード内に空気を屋外に排気する送風機と、通風路内を伝播する騒音を消音する能動消音装置を備えたレンジフードであって、能動消音装置は、通風路の壁面に設けた開口の外側の空間に配置された音波を検知するマイクロホンと、音波を放出するスピーカを備え、開口に複数の細孔を備える第一の保護体と、第一の保護体の外側に複数の細孔に対向する複数の突起を備える第二の保護体を設け、第一の保護体は、第一の保護体と第二の保護体の複数の突起の先端が離間する位置と、第一の保護体の複数の細孔に第二の保護体の複数の突起が挿入される位置との間を可動する構成を有する。
【００１８】
これにより、スピーカやマイクロホンが第一の保護体と第二の保護体を介して通風路に面して設置され、第一の保護体の複数の細孔と第一の保護体と第二の保護体の複数の突起の先端が離間する位置にあることで生ずる隙間により通風路と能動型消音装置の間に通音性を持たせることができるため、通風路を伝播する騒音に対して高い消音効果を発揮でき、通風路内の気流に含まれる油分などからマイクロホンやスピーカを保護できる。
【００１９】
また、第一の保護体を第一の保護体の複数の細孔に第二の保護体の複数の突起が挿入される位置に動かして第一の保護体の複数の細孔に堆積した油分を第二の保護体の複数の突起により除去した後に、第一の保護体を第一の保護体の複数の細孔と第一の保護体と第二の保護体の複数の突起の先端が離間する位置に動かして通風路と能動型消音装置の間の通音性を回復させることができるため、簡素なメンテナンス作業で、油分の堆積により第一の保護体の複数の細孔が塞がって通風路と能動型消音装置の間の通音性が低下し、能動型消音装置の消音効果が劣化することを抑制することができるという効果を奏する。
【００２０】
また、第一の保護体が、弾性力により第一の保護体と第二の保護体の複数の突起の先端が離間する位置を保持するように支持された構成にしても良い。
【００２１】
これにより、第一の保護体を第一の保護体の複数の細孔に第二の保護体の複数の突起が挿入される位置に動かして第一の保護体の複数細孔に堆積した油分を第二の保護体の複数の突起により除去した後、弾性力により第一の保護体が第二の保護体の複数の突起の先端が離間する位置に戻るため、メンテナンス作業をさらに簡素にすることができるという効果を奏する。
【００２２】
また、第一の保護体の複数の細孔が上下方向のスリット形状である構成にしても良い。
【００２３】
これにより、第一の保護体に付着した油分や、通風路の壁面に堆積した後に重力により第一の保護体に流れ落ちる油分がスリット形状に沿って第一の保護体の下方に流れ出るため、油分の堆積により第一の保護体の複数の細孔が塞がって通風路と能動型消音装置の間の通音性が低下し、能動型消音装置の消音効果が劣化することを長期に抑制することができるという効果を奏する。
【００２４】
（実施の形態１）
以下、本発明の実施の形態について、図１から図５を参照しながら説明する。
【００２５】
図１から図４に示すように、本実施の形態のレンジフード１は、屋外に連通した吐出口２と、調理時に発生する油煙を含んだ空気を吸い込む吸込口３とを有するフード４と、フード４内の通風路５と、空気を屋外に排気する送風機６を備え、通風路５の壁面７のひとつに開口８を備え、その外側の空間９に能動型消音装置１０を備える。
【００２６】
能動型消音装置１０は、通風路５内を伝播する騒音を検出するリファレンスマイクロホン１１と、リファレンスマイクロホン１１によって検出された騒音とは逆位相の音を放出するスピーカ１２と、スピーカ１２から放出された音によって減衰した騒音を検出するエラーマイクロホン１３と、これらを接続してコントロールする演算制御器（図示せず）を備える。
【００２７】
通風路５の壁面７の開口８には、第一の保護体として、複数の直径２ｍｍの細孔１４を備える金属製で厚みが０．８ｍｍの多孔板１５を設け、多孔板１５の外側に、第二の保護体として、多孔板１５の複数の細孔１４に対向する位置に複数の直径１．６ｍｍで高さ２ｍｍの突起１６を備え、複数の通音口２１を備える樹脂製の多突起板１７を設けている。
【００２８】
多突起板１７は空間９を構成する壁面に外周の一部が離間するように固定されており、多孔板１５は、多突起板１７と多孔板１５の間の弾性のある板バネ１８によって、多突起板１７の突起１６の先端と多孔板１５が４ｍｍの隙間１９を持つ位置（以下離間位置と称す）に保持されている。
【００２９】
なお、細孔１４の大きさは、大きすぎると通風路５の油煙が容易に多孔板１５を通過してしまい、能動型消音装置１０を油煙から保護することができず、小さすぎると短時間で油分２０の堆積により細孔１４が塞がれて通音性が損なわれてしまうため、２ｍｍから５ｍｍ程度の直径の円形もしくは一辺が２ｍｍから５ｍｍ程度の四角形であることが望ましい。また多孔板１５の開口率は、通音性を確保するために５０％以上であることが望ましい。
【００３０】
上記構成により、調理時に送風機６を運転すると、フード４によって捕集され吸込口３から吸い込まれた油煙を含む空気が通風路５を通って送風機６へと流れ込み、吐出口２から室外へと排気される。この時送風機６から放出される騒音が通風路５を伝播し、能動型消音装置１０の消音効果により騒音は低減されて吸込口３から室内へと放出される。
【００３１】
この時、能動型消音装置１０のスピーカ１２、リファレンスマイクロホン１１、エラーマイクロホン１３は、多孔板１５と多突起板１７により油煙から保護されるため、長期にわたり特性を維持でき、能動型消音装置１０の消音効果が劣化することを抑制することができる。
【００３２】
また、複数の細孔１４により通音性を持つ多孔板１５が多突起板１７と離間位置にあるため、多孔板１５の細孔１４、多孔板１５と多突起板１７の隙間１９、多突起板１７の通音口２１、多突起板１７と空間９を構成する壁面との離間により、通風路５と能動型消音装置１０の間に通音性を持たせることができるため、通風路５を伝播する騒音に対して高い消音効果を発揮できる。
【００３３】
また、図５ａ）に示すように、多孔板１５の複数の細孔１４が油分２０の堆積により塞がれ、通風路と能動型消音装置の間の通音性が低下し、能動型消音装置の消音効果が劣化しても、図５ｂ）に示すように、多孔板１５を通風路５側から押し込み、多孔板１５の複数の細孔１４に多突起板１７の複数の突起１６が挿入される位置（以下挿入位置と称す）に動かすことにより、多孔板１５の複数の細孔１４に堆積した油分２０を多突起板１７の複数の突起１６により通風路５側に押し出し、多孔板１５の通音性を回復させることができる。
【００３４】
そして多孔板１５を押し込む力を解放すると、多突起板１７と多孔板１５の間の板バネ１８の弾性力によって多孔板１５は離間位置に自動的に移動することができ、通風路５と能動型消音装置１０の間の通音性を回復させることができる。
【００３５】
以上のように、多孔板１５を押し込むという簡素な作業で油分２０の堆積により多孔板１５の複数の細孔１４が塞がって通風路５と能動型消音装置１０の間の通音性が低下し、能動型消音装置１０の消音効果が劣化することを抑制することができる。
【００３６】
すなわち、布などでの拭き取り動作と多孔板１５を挿入位置に押し込む動作を同時に行うことができるため、簡素な作業で多突起板１７の突起１６により細孔１４から通風路５側に押し出された油分２０を効果的に除去することができる。
【００３７】
なお、本実施の形態ではレンジフード１が空気を屋外に排気するとしたが、空気を室内に戻す循環型のレンジフード１でも同様の効果を得ることができる。
【００３８】
またなお、本実施の形態ではひとつの開口８の外側に能動型消音装置１０のリファレンスマイクロホン１１、スピーカ１２、エラーマイクロホン１３を配置したが、それぞれが異なる開口８の外側に配置され、それぞれの開口８に多孔板１５と多突起板１７を備える個性でも、同様の効果を得ることができる。
【００３９】
またなお、本実施の形態では消音効果を高めるフィードバック制御をするためにスピーカ１２により消音した効果を確認・修正するためのエラーマイクロホン１３を使用する構成としたが、エラーマイクロホン１３を使用しない演算制御方法を用いて、エラーマイクロホン１３を省略できる場合がある。
【００４０】
またなお、本実施の形態では板バネ１８を用いて弾性力により多孔板１５を挿入位置から離間位置へ自動的に動かすことができる構成としたが、手動、あるいはステッピングモータなどを用いた電動で多孔板１５を動かす構成にしても良い。
【００４１】
またなお、本実施の形態では多孔板１５を弾性保持する手段を板バネ１８としたが、コイルバネなど別種のバネを用いてもよく、またゴムやシリコンなど弾性をもつ材料による保持でも良く、磁力を利用した保持でも良い。
【００４２】
（実施の形態２）
実施の形態２において、実施の形態１と同様の構成要素については同一の符号を付し、その詳細な説明は省略する。
【００４３】
図６に示すように、多孔板１５の複数の細孔１４が上下方向の幅２ｍｍのスリット形状となっている。また、多突起板１７（図示せず）は幅１．６ｍｍの突起１６を備えた構成となっている。
【００４４】
以上の構成により、多孔板１５に付着した油分２０や、通風路５の壁面７に堆積した後に重力により多孔板１５に流れ落ちる油分２０が、スリット形状の細孔１４に沿って多孔板１５の下方に流れ出るため、油分２０の堆積により多孔板１５の複数の細孔１４が塞がって通風路５と能動型消音装置１０の間の通音性が低下し、能動型消音装置１０の消音効果が劣化することを長期に抑制することができる。
【００４５】
なお、多孔板１５の表面に塗装などの処理により撥油性を持たせると、油分２０がスリット形状の細孔１４に沿って多孔板１５の下方に流れ出ることを促進できるため、なお良い。
【産業上の利用可能性】
【００４６】
本発明にかかるレンジフードは、静音性が求められる家庭もしくは店舗用の排気設備として有用であり、また本発明にかかる能動型消音装置は、通風路に対する十分な消音効果を有し、消音効果の劣化の要因となる油分等からマイクロホンやスピーカを保護でき、簡素なメンテナンス作業で長期使用が可能であることから、各種換気空調設備に搭載する消音装置として有用である。
【符号の説明】
【００４７】
１  レンジフード
２  吐出口
３  吸込口
４  フード
５  通風路
６  送風機
７  壁面
８  開口
９  空間
１０  能動型消音装置
１１  リファレンスマイクロホン
１２  スピーカ
１３  エラーマイクロホン
１４  細孔
１５  多孔板
１６  突起
１７  多突起板
１８  板バネ
１９  隙間
２０  油分
２１  通音口
【図１】
2014043990.tif 000003
【図２】
2014043990.tif 000004
【図３】
2014043990.tif 000005
【図４】
2014043990.tif 000006
【図５】
2014043990.tif 000007
【図６】
2014043990.tif 000008
【図７】
2014043990.tif 000009
【図８】
2014043990.tif 000010